【事件の表示】
　特願２０１３−１３４６０６「タッチパネル及びそれを備える画像表示装置」拒絶査定不服審判事件〔平成２７年　１月１９日出願公開、特開２０１５−　１１４２５、請求項の数（９）〕について、次のとおり審決する。
【結　論】
　原査定を取り消す。
　本願の発明は、特許すべきものとする。
【理　由】
第１　手続の経緯
　本願は、平成２５年６月２７日の出願であって、平成２９年７月２７日付けで拒絶査定がなされ、これに対して平成２９年１１月１日に審判の請求がされると同時に手続補正がされたものである。
第２　原査定の概要
　原査定（平成２９年７月２７日付け拒絶査定）の概要は次のとおりである。
　本願請求項１−１０に係る発明は、以下の引用文献１−３に基づいて、その発明の属する技術の分野における通常の知識を有する者（以下、「当業者」という。）が容易に発明できたものであるから、特許法第２９条第２項の規定により特許を受けることができない。
引用文献等一覧
　１．特開２００９−２８８７３２号公報
　２．特開２０１１−１７５６０１号公報
　３．国際公開第２０１３／０６９６８３号
第３　本願発明
　本願請求項１−９に係る発明（以下、それぞれ「本願発明１」−「本願発明９」という。）は、平成２９年１１月１日付けの手続補正で補正された特許請求の範囲の請求項１−９に記載された事項により特定される発明であり、本願発明１は以下のとおりの発明である。
「【請求項１】
　表示素子側基板とタッチ入力素子とが間隙を置いて配置され、
　前記表示素子側基板の間隙側表面及び前記タッチ入力素子の間隙側表面のうち少なくとも一方に、透明支持体と、その上に形成された、断面曲線のスキューネスＰskの絶対値が０．３以下の微細な表面凹凸形状を有する塗工層とを備える光学フィルムが、その塗工層側を前記間隙に向けて配置され、
　前記光学フィルムは、全ヘーズが０．８％以下であることを特徴とする、タッチパネル。」
　本願発明２−９は、概略、本願発明１を減縮した発明である。
第４　引用文献、引用発明等
１．引用文献１について
　原査定の拒絶の理由に引用された引用文献１には、図面とともに、以下の事項が記載されている（下線は当審付与。以下同様。）。
（１）　段落【０００１】−【０００３】
「【技術分野】
【０００１】
　本発明は、映り込みを防止する防眩フィルムに関するものである。
【背景技術】
【０００２】
　近年、薄型で大画面に用いられている液晶表示装置（ＬＣＤ）やプラズマディスプレイパネル（ＰＤＰ）など様々な画像表示装置においては、画面に外部から入射した光が反射することによって表示画像を見難くすることがある。特に、画像表示装置の大型化に伴い、上記問題を解決することがますます重要となってきており、様々な映り込み防止方法が提案・設置されている。
　この
映り込み防止方法の内、表面に微細な凹凸を形成することによる映り込み防止方法は、防眩処理とも呼ばれ
　例えば、塗工ムラや塗工スジなどを回避するために、ブラスト処理したロールを型として形状を賦与する方法が特許文献１で提案されている。
【０００３】
　また、透光性微粒子、透光性樹脂および透光性樹脂の良溶媒と貧溶媒からなる塗工液により防眩フィルムの防眩層を形成するにあたり、乾燥過程で貧溶媒の作用により透光性微粒子と透光性樹脂がゲル化し、凹凸構造を形成する方法が特許文献２に開示されている。
　また、スチレンビーズなどの透明性微粒子を含んだ樹脂組成物を透明プラスチック基材に塗工することによる、シンチレーション防止方法が特許文献３に開示されている。
　本発明者らの検討によると、これらの方法はいずれも表面凹凸に関してその形成方法の制約上、
凹凸のピッチの分布が大きく、細かなピッチのものから大きなピッチ成分までが幅広く混在していた。このため、例えば、レンズ効果による明るさの濃淡が生ずるいわゆる面ギラあるいはギラツキと呼ばれている現象が顕著に表れる傾向があった
このギラツキ防止策として内部での透過光の散乱によってギラツキを防止する方法を用いる例が多く、そのため透過特性を大きく犠牲にせざるを得なかった
　
また、ピッチの分布が広いために、微小で急峻な凹凸によって外光の散乱による表面の白ちゃけまたは白浮きと呼ばれる現象が生じ、視認性の低下が生じていた
（２）　段落【０００７】−【００１９】
「【発明が解決しようとする課題】
【０００７】
　本発明は、上記の問題点を解決し、
クリアな透過映像を有すると共に、優れた映り込み防止機能を合わせ持ち、ギラツキや白ちゃけの非常に少ないバランスの取れた防眩フィルムを提供することを目的とするものである
【課題を解決するための手段】
【０００８】
　本発明者らは、これら全ての特性を発揮できるフィルムについて鋭意検討した結果、従来にない
特定の凹凸形状を賦与することによってこれら全ての特性を発揮させることがが可能であることを見出し、本発明を完成させた
　即ち、本発明は、以下の通りのものである。
　（１）
表面凹凸を有する防眩フィルムであり、該凹凸のピッチが２０〜５００μｍ
ピッチに対する高さの比が２／１０００〜３００／１０００
凹凸を中心面でスライスした断面積の標準偏差σが断面積の平均値Ｓａｖの２倍以下であることを特徴とする防眩フィルム
　（２）該凹凸のスキューネス（ＳＲｓｋ）が−１．０〜１．０であることを特徴とする上記（１）記載の防眩フィルム。
　（３）該凹凸が、粒子層の形状を転写した形状であることを特徴とする上記（１）又は〈２〉に記載の防眩フィルム。
【発明の効果】
【０００９】
　本発明によれば、様々な表示装置においてもギラツキや白ちゃけがなく、コントラストと視野角にも優れた透過映像を表示できると共に、優れた映り込み防止特性を併せ持つフィルムを提供することができるため、ＬＣＤ、ＰＤＰ、有機ＥＬなどの各種画像表示装置にも有用である。また、各種ショーケース、ショーウィンドーなどにも有用に用いることができる。
【発明を実施するための最良の形態】
【００１０】
　本発明について、以下に具体的に説明する。
　本発明の防眩フィルムは表面凹凸を有する防眩フィルムであり、透明な基材フィルム（透明フィルム基材）の表面に凹凸を有するものである。凹凸形状は、フィルムに直接凹凸形状を賦与してもよく、また
凹凸形状を有する樹脂層を透明な基材フィルムに積層して
【００１１】
　本発明において、
表面凹凸のピッチ
が小さ過ぎると外光による白ちゃけが顕著になり
ピッチが大きすぎるとギラツキを生じやすくなる傾向があり
【００１２】
　本発明において、
表面凹凸のピッチに対する高さの比
２／１０００より小さい場合は、蛍光灯などの外光の映り込み防止が不十分であり
高さがピッチに対して３００／１０００より大きいと外光による白ちゃけが多くなる傾向があるとともに、斜めから見た場合の像のボヤケが生じる傾向、いわゆる視野角依存性が悪くなる傾向があ
　表面凹凸のピッチとピッチに対する高さは、上記範囲内において、用いる表示装置によって適宜選択するのが好ましい。表示装置によって画素サイズと発光部から防眩フィルムまでの距離がことなるため、ギラツキの生じる範囲などが大きく異なってくる。また表示装置の用途によってその必要機能や優先される機能が異なるため、それぞれ好ましいピッチとそれに対する高さを適宜選択することができる。
　　　・・・（中略）・・・
【００１６】
　本発明はこのようにして導き出される
標準偏差（σ）／平均（Ｓａｖ）が２以下である
表面凹凸の分布が特定の範囲であるため、各種特性を満足させることが容易であ
一方、バラツキがほとんどないものは、その規則性が高すぎるため、表示装置によってはモアレがでることもあ
そのため、
標準偏差（σ）／平均（Ｓａｖ）が０．１〜１．５の範囲のものが好ましく、特に０．３〜１．０の範囲のものがもっとも好ましく
　　　・・・（中略）・・・
【００１８】
　
本発明の表面凹凸のスキューネス（ＳＲｓｋ）が−１．０〜１．０であるのが好まし
このＳＲｓｋが正の値で大きいと表面の磨耗によって削れ易くなり、傷つきやすいものとなってしまう
一方、負の値が大きい場合、表面が汚れた場合にティッシュ等での拭取り性が悪くなる傾向があ
そのため本発明においては、−１．０〜１．０が好ましく、さらには−０．５〜０．５が好ましく、−０．３〜０．３が最も好まし
【００１９】
　本発明の表面凹凸のクルトシス（ＳＲｋｕ）は、５以下であるのが好ましい。このクルトシス（ＳＲｋｕ）は、形状の鋭さを表す指標であり、ＲｋｕとしてＪＩＳ−Ｂ−０６０１：２００１に規定されている。このＲｋｕを３次元の表面形状データに適用したものがＳＲｋｕであり、株式会社小坂研究所の表面形状測定器「サーフコーダＥＴ４０００」の付属ソフト標準に搭載されている。このクルトシスは微粒子を凝集させたような形状の場合、大きな値を持ち、図１の場合、８．６という値を持つ。このように急峻な形状は、表面ヘーズを大きくする要因であることが分かった。本発明においては急峻な形状が少ないほど好ましく、このクルトシス（ＳＲｋｕ）は、５以下が好ましく、特に２〜４が好ましく用いられる。
　本発明において、
防眩フィルムのヘーズは、用途にもよるが１０％以下が好ましく、特に５％以下、最も好ましくは３％以下である
（３）　段落【００２２】
「【００２２】
　本発明において
最表面の凹凸形状は、樹脂層の上に形成されるのが好まし
この樹脂層は、最表面の形状をなす層であるため、樹脂としては、紫外線硬化樹脂を用いるのが好ましく、ハードコート層とするのが好まし
紫外線硬化樹脂を設けて、表層を硬くすることによって、耐擦傷性などの実用特性を満足させやすくな
　耐擦傷性の一つの指標として、鉛筆硬度試験を用いることができる。本発明の防眩フィルムは、鉛筆硬度がＨＢ以上、好ましくはＨ以上、さらには２Ｈ以上のものが最も好ましく用いることができる。鉛筆硬度は、ＪＩＳ−Ｋ−５６００に定義されている。樹脂層の厚みとしては、０．５μｍ〜５０μｍのものを用いることがでる。ハードコート層の厚みが厚すぎるとフィルムがカールしやすくなる傾向がある。一方、薄すぎると十分な鉛筆硬度が出にくくなる。このため特に１〜１０μｍの範囲で好ましく用いられる。」
（４）　段落【００６１】
「【００６１】
　本発明の防眩フィルムの表面抵抗は、表面抵抗率は１０６Ω／□〜１０18Ω／□であることが好ましい。表面抵抗率を下げることによって塵の付着等を押さえることができ、ディスプレイなどに組み込む場合の収率を向上させることができる。このような表面抵抗はこれまでに記載した帯電防止機能を構成する層に持たせることによって達成することができる。
　本発明の防眩フィルムは、
粘着剤を用いて表示装置表面のガラスなどに貼り付けることによって表示装置の防眩機能や反射防止機能を付与することができ
（５）　段落【００６３】
「【００６３】
　
本発明の防眩フィルムは、液晶テレビ、ＰＤＰ、有機ＥＬなどのフラットパネルディスプレイや、その他、例えば、無機ＥＬディスプレイ、ＴＶブラウン管、ノートパソコン、電子手帳、タッチパネル、液晶ディスプレイ、車載用テレビ、液晶ビデオ、プロジェクションテレビ、プラズマアドレス液晶ディスプレイ、電解放出型ディスプレイ、発光ダイオードディスプレイ、光ファイバー、光ディスク等の電子情報機器分野；照明グローブ、蛍光灯、鏡、時計等の家庭用品分野；ショーケース、額、半導体リソグラフィー、コピー機器等の業務用分野；液晶ゲーム機器、パチンコ台ガラス、ゲーム機等の娯楽分野などにおいて、映り込みの防止の向上を必要としている非常に広範な用途に用いることができる
（６）　段落【００８４】の【表１】
　段落【００８４】の【表１】には、
スキューネスＳＲｓｋが、具体的には、０．２５（実施例１）、０．２０（実施例３）、０．３５（実施例４）であ
　また、段落【００８４】の【表１】には、
ヘーズが、具体的には、１．５%（実施例１）、１．４%（実施例３）、１．６%（実施例４）であ
　したがって、関連図面に照らし、引用文献１には、次の発明（以下、「引用発明」という。）が記載されていると認められる。
「映り込み防止方法の内、表面に微細な凹凸を形成することによる映り込み防止方法は、防眩処理とも呼ばれ、
　表面凹凸を有する防眩フィルムであり、該凹凸のピッチが２０〜５００μｍ、ピッチに対する高さの比が２／１０００〜３００／１０００、凹凸を中心面でスライスした断面積の標準偏差σが断面積の平均値Ｓａｖの２倍以下であることを特徴とする防眩フィルムであって、
　凹凸形状を有する樹脂層を透明な基材フィルムに積層しており、
　表面凹凸のピッチが小さ過ぎると外光による白ちゃけが顕著になり、ピッチが大きすぎるとギラツキを生じやすくなる傾向があり、
　表面凹凸のピッチに対する高さの比が２／１０００より小さい場合は、蛍光灯などの外光の映り込み防止が不十分であり、３００／１０００より大きいと外光による白ちゃけが多くなる傾向があるとともに、斜めから見た場合の像のボヤケが生じる傾向、いわゆる視野角依存性が悪くなる傾向があり、
　標準偏差（σ）／平均（Ｓａｖ）が２以下であると、表面凹凸の分布が特定の範囲であるため、各種特性を満足させることが容易であり、一方、バラツキがほとんどないものは、その規則性が高すぎるため、表示装置によってはモアレがでることもあり、そのため、標準偏差（σ）／平均（Ｓａｖ）が０．１〜１．５の範囲のものが好ましく、特に０．３〜１．０の範囲のものがもっとも好ましく、
　本発明の表面凹凸のスキューネス（ＳＲｓｋ）が−１．０〜１．０であるのが好ましく、このＳＲｓｋが正の値で大きいと表面の磨耗によって削れ易くなり、傷つきやすいものとなってしまう一方、負の値が大きい場合、表面が汚れた場合にティッシュ等での拭取り性が悪くなる傾向があり、そのため本発明においては、−１．０〜１．０が好ましく、さらには−０．５〜０．５が好ましく、−０．３〜０．３が最も好ましく、スキューネスＳＲｓｋが、具体的には、０．２５（実施例１）、０．２０（実施例３）、０．３５（実施例４）であり、
　防眩フィルムのヘーズは、用途にもよるが１０％以下が好ましく、特に５％以下、最も好ましくは３％以下であり、ヘーズが、具体的には、１．５%（実施例１）、１．４%（実施例３）、１．６%（実施例４）であり、
　最表面の凹凸形状は、樹脂層の上に形成されるのが好ましく、この樹脂層は、最表面の形状をなす層であるため、樹脂としては、紫外線硬化樹脂を用いるのが好ましく、ハードコート層とするのが好ましく、紫外線硬化樹脂を設けて、表層を硬くすることによって、耐擦傷性などの実用特性を満足させやすくなり、
　粘着剤を用いて表示装置表面のガラスなどに貼り付けることによって表示装置の防眩機能や反射防止機能を付与することができ、
　液晶テレビ、ＰＤＰ、有機ＥＬなどのフラットパネルディスプレイや、その他、例えば、無機ＥＬディスプレイ、ＴＶブラウン管、ノートパソコン、電子手帳、タッチパネル、液晶ディスプレイ、車載用テレビ、液晶ビデオ、プロジェクションテレビ、プラズマアドレス液晶ディスプレイ、電解放出型ディスプレイ、発光ダイオードディスプレイ、光ファイバー、光ディスク等の電子情報機器分野；照明グローブ、蛍光灯、鏡、時計等の家庭用品分野；ショーケース、額、半導体リソグラフィー、コピー機器等の業務用分野；液晶ゲーム機器、パチンコ台ガラス、ゲーム機等の娯楽分野などにおいて、映り込みの防止の向上を必要としている非常に広範な用途に用いることができる、
防眩フィルム。」
２．引用文献２について
　原査定の拒絶の理由において、周知技術を例示する文献として引用された、上記引用文献２には、以下の記載がある。
（１）　段落【０００３】
「【０００３】
　
抵抗膜方式のタッチパネルは、対向する側に透明電極を有する２枚のフィルム又は板を一定間隔で保持して構成されている電気部品である
このようなタッチパネルの作動方式において、ペン又は指で電極を押圧する際、押圧している指やペンなどのポインティング治具の周辺に、干渉による虹模様（いわゆる、「ニュートンリング」と呼ばれる干渉色又は干渉縞）が現れることがあり、画面の視認性を低下させる
このようなタッチパネルにおけるニュートンリングを軽減する対策として、透明電極を形成する支持体フィルムの表面に凹凸構造を形成する方法が提案されている
（２）　段落【００１１】−【００１３】
「【発明が解決しようとする課題】
【００１１】
　従って、本発明の目的は、抵抗膜方式タッチパネルにおける
ニュートンリングの発生を有効に抑制でき、かつ打鍵耐久性にも優れる
タッチパネルを提供することにある
【００１２】
　本発明の他の目的は、膜表面で均一な導電性を有するとともに、
ギラツキやチラツキを抑制できる
【００１３】
　本発明のさらに他の目的は、
繰り返し打鍵しても、割れや損傷が抑制され、ニュートンリング防止効果の低下を抑制できる
（３）　段落【０１１５】−【０１２１】
「【０１１５】
　［タッチパネル］
　本発明の透明導電性膜は、
タッチパネル（特に抵抗膜方式タッチパネル）の透明電極に利用できる
透明導電層が形成された面の反対面に、
無機又は有機微粒子を含有する防眩性ハードコート層
透明樹脂を相分離させて得られる防眩性ハードコート層などが利用できる
　　　・・・（中略）・・・
【０１１７】
　本発明の
タッチパネル（特に抵抗膜方式タッチパネル）は、前記透明電極を備えている
このタッチパネル１０は、上部透明電極１１と下部透明電極１３とがスペーサー１２を介して積層されており
【０１１８】
　
上部透明電極１１は、
他方の面（パネル裏側又は下部の面）に相分離層（アンチニュートンリング層）１１ｂが形成されている
　　　・・・（中略）・・・
【０１２０】
　下部透明電極１３は、前記スペーサー１２を介在させて、上部透明電極１１の下部に配設されており、ガラスで構成された透明基板１３ｃの一方の面（パネル表側又は上部の面）に、透明導電層１３ａが形成され、他方の面（パネル裏側又は下部の面）にハードコート層１３ｄが形成されている。
下部透明電極１３の透明導電層１３ａの表面は平滑であるが、上部透明電極１１と同様に、相分離層（アンチニュートンリング層）を形成し、表面に凹凸構造を形成してもよい
上部透明電極１１及び下部透明電極１３の双方に相分離層を形成することにより、アンチニュートンリング効果を向上できる
【０１２１】
　このような上下透明電極を備えたタッチパネル１０は、液晶表示（ＬＣＤ）装置である液晶パネル２０の上に配設されている。
本発明では、前記相分離層１１ｂは、透過光を等方的に透過して散乱させながら、特定の角度範囲での光散乱強度を向上できるため、ニュートンリングの防止だけでなく
具体的には、液晶パネルの表示部におけるギラツキを抑制できる
３．引用文献３について
　原査定の拒絶の理由において、周知技術を例示する文献として引用された、上記引用文献３には、以下の記載がある。
（１）　段落［０００５］
「［０００５］　一方、光学フィルムの分野では、フィルム同士、あるいはフィルムと他の部材（たとえばガラス板）が接触した際に、
グレアやニュートンリング
これらを防止するために、フィルム表面に微細な凹凸形状を設けることが行われている
（２）　段落［０００８］
「［０００８］　本発明者らは、鋭意検討の結果、１枚透明基板タイプの
静電容量式タッチパネルの裏面と、表示装置の前面とが空間を介して対向した構成において、前記タッチパネルの裏面
、又は表示装置の前面
を、所定の表面粗さを有するものとすることにより上記課題が解決されることを見出し、本発明を完成させた
第５　対比・判断
１．本願発明１について
（１）　対比
　本願発明１と引用発明とを対比すると、次のことがいえる。
ア　引用発明の「透明な基材フィルム（透明フィルム基材）」は、本願発明１の「透明支持体」に相当する。
　引用発明の「樹脂層」は、本願発明１の「塗工層」に相当する。
　引用発明の「防眩フィルム」は、本願発明１の「光学フィルム」に相当する。
　引用発明の「表面凹凸のスキューネス（ＳＲｓｋ）」は、本願発明１の「断面曲線のスキューネスＰsk」に相当する。
　よって、引用発明の「
凹凸形状を有する樹脂層
透明な基材フィルム
−０．３〜０．３が最も好まし
防眩フィルム
表示装置表面のガラスなどに貼り付けること
表示素子側基板とタッチ入力素子とが間隙を置いて配置され、前記表示素子側基板の間隙側表面及び前記タッチ入力素子の間隙側表面のうち少なくとも一方に、
その塗工層側を前記間隙に向けて
イ　引用発明の「防眩フィルム」は、「液晶テレビ、ＰＤＰ、有機ＥＬなどのフラットパネルディスプレイや、その他、例えば、無機ＥＬディスプレイ、ＴＶブラウン管、ノートパソコン、電子手帳、
タッチパネル
などにおいて、映り込みの防止の向上を必要としている非常に広範な用途に用いることができる
貼り付けること
　したがって、本願発明１と、引用発明との間には、次の一致点、相違点があるといえる。
［一致点］
　「透明支持体と、その上に形成された、断面曲線のスキューネスＰskの絶対値が０．３以下の微細な表面凹凸形状を有する塗工層とを備える光学フィルムが、配置された、
タッチパネル。」
［相違点１］
　本願発明１では、「表示素子側基板とタッチ入力素子とが間隙を置いて配置され」、「前記表示素子側基板の間隙側表面及び前記タッチ入力素子の間隙側表面のうち少なくとも一方に」、透明支持体と、その上に形成された、断面曲線のスキューネスＰskの絶対値が０．３以下の微細な表面凹凸形状を有する塗工層とを備える光学フィルムが、「その塗工層側を前記間隙に向けて」配置されるのに対して、引用発明の「防眩フィルム」を、どのような構造の「タッチパネル」に、どのように貼り付けるかは特定がなされていない点。
［相違点２］
　光学フィルムの特性について、本願発明１では、「前記光学フィルムは、全ヘーズが０．８％以下である」のに対して、引用発明の「防眩フィルム」は、「防眩フィルムのヘーズは、用途にもよるが１０％以下が好ましく、特に５％以下、最も好ましくは３％以下であり、ヘーズが、具体的には、１．５%（実施例１）、１．４%（実施例３）、１．６%（実施例４）であり」、「全ヘーズが０．８％以下である」ことは特定がなされていない点。
（２）　相違点についての判断
　上記［相違点１］について検討する。
　引用文献１には、「防眩フィルム」を、タッチパネルの表示素子側基板とタッチ入力素子との間隙に配置する構成は記載も示唆もない。
　引用発明の「防眩フィルム」は、たまたま、スキューネスの範囲が、「−０．３〜０．３が最も好まし」いことを規定しているが、これは、「負の値が大きい場合、
表面が汚れた場合にティッシュ等での拭取り性が悪くなる傾向
　たしかに、上記引用文献２、引用文献３の記載から、ギラツキやグレアなどを防止するために、凹凸を備えたフィルムを、タッチパネルの表示素子側基板とタッチ入力素子との「間隙」に配置することは、周知技術といえる。
　しかし、上記のとおり、引用発明の「防眩フィルム」は、人がタッチする側に貼り付けることが前提であること、周知技術を示す引用文献２でも、図２（特に「ハードコート層１１ｄ」）、段落【０１１５】「［タッチパネル］　本発明の透明導電性膜は、
タッチパネル（特に抵抗膜方式タッチパネル）の透明電極に利用できる
透明導電層が形成された面の反対面に、さらにハードコート層が形成されていてもよい。ハードコート層としては
無機又は有機微粒子を含有する防眩性ハードコート層
透明樹脂を相分離させて得られる防眩性ハードコート層などが利用できる
　仮に、引用発明の「防眩フィルム」を、上記周知技術に適用する場合に、タッチパネルの表示素子側基板とタッチ入力素子との「間隙」に配置するような構成が想定できたとしても、この場合、引用発明の「防眩フィルム」が、「負の値が大きい場合、
表面が汚れた場合にティッシュ等での拭取り性が悪くなる傾向
　また、タッチパネルの表示素子側基板とタッチ入力素子との「間隙」に配置する光学フィルムのスキューネスを制限することで、ニュートンリングの発生が防止できることは、引用文献１−３には記載されておらず、周知技術であるともいえない。
　よって、当業者といえども、引用発明及び引用文献２、引用文献３に記載された技術的事項及び周知技術から、本願発明の上記［相違点１］に係る「表示素子側基板とタッチ入力素子とが間隙を置いて配置され」、「前記表示素子側基板の間隙側表面及び前記タッチ入力素子の間隙側表面のうち少なくとも一方に」、透明支持体と、その上に形成された、断面曲線のスキューネスＰskの絶対値が０．３以下の微細な表面凹凸形状を有する塗工層とを備える光学フィルムが、「その塗工層側を前記間隙に向けて」配置されるという構成を容易に想到することはできない。
　したがって、上記［相違点２］について判断するまでもなく、本願発明１は、当業者であっても、引用発明及び引用文献２、引用文献３に記載された技術的事項及び周知技術に基づいて容易に発明できたものであるとはいえない。
２．本願発明２−９について
　本願発明２−９は、概略、本願発明１を減縮した発明であって、本願発明１の上記［相違点１］の「表示素子側基板とタッチ入力素子とが間隙を置いて配置され」、「前記表示素子側基板の間隙側表面及び前記タッチ入力素子の間隙側表面のうち少なくとも一方に」、透明支持体と、その上に形成された、断面曲線のスキューネスＰskの絶対値が０．３以下の微細な表面凹凸形状を有する塗工層とを備える光学フィルムが、「その塗工層側を前記間隙に向けて」配置されるという構成と同一の構成を備えるものである。
　よって、本願発明１と同じ理由により、本願発明２−９も、当業者であっても、引用発明及び引用文献２、引用文献３に記載された技術的事項及び周知技術に基づいて容易に発明できたものとはいえない。
第６　原査定について
　本願発明１−９は、「表示素子側基板とタッチ入力素子とが間隙を置いて配置され」、「前記表示素子側基板の間隙側表面及び前記タッチ入力素子の間隙側表面のうち少なくとも一方に」、透明支持体と、その上に形成された、断面曲線のスキューネスＰskの絶対値が０．３以下の微細な表面凹凸形状を有する塗工層とを備える光学フィルムが、「その塗工層側を前記間隙に向けて」配置されるという事項を有しており、当業者であっても、拒絶査定において引用された引用文献１−３に基づいて、容易に発明できたものとはいえない。したがって、原査定の理由を維持することはできない。
第７　むすび
　以上のとおり、原査定の理由によっては、本願を拒絶することはできない。
　また、他に本願を拒絶すべき理由を発見しない。
　よって、結論のとおり審決する。